(57)【特許請求の範囲】
【請求項１】
荷箱に枢支され、枢動して荷室を開閉するウイングの開閉補助機構であって、
前記開閉補助機構は前記ウイング及び前記荷箱の屋根部の外側に取り付けられ、
一側がウイングの外側に連結された第１のアームと、一側が前記第１のアームの他側に連結され、他側が前記荷箱の外側に枢支された第２のアームと、一側が前記第２のアームの中間部に連結され、他側が前記荷箱の外側に枢支され、前記ウイングの回動に応じて弾性変形する弾性手段と、を備えたことを特徴とするウイングの開閉補助機構。
【請求項２】
請求項１記載のウイングの開閉補助機構と、荷箱に冷気を吹き出すためのエバポレータと、を備えたウイング型冷凍・保冷車両であって、
前記荷箱の屋根部に、前記荷室の天井面より上部に配置され、内部に所定の空間を有する梁を設け、前記荷室の天井面より上方の、前記梁が囲む所定の空間に前記エバポレータを配置し、
前記荷箱の屋根部において、前記梁が該屋根部から突出して形成された段差の側部に、請求項１記載のウイングの開閉補助機構が配置されたことを特徴とするウイング型冷凍・保冷車両。
【発明の詳細な説明】
【０００１】
【発明の属する技術分野】
本発明はウイング型車両に関し、特に冷凍・保冷機構を備えたウイング型車両に関する。
【０００２】
【従来の技術】
従来のウイング車の多くは、図７に示すように、ウイング１の解放機構として前後端の荷箱枠部材の中に油圧シリンダ１００を取り付けている。また、従来のウイング１を備えた冷凍・保冷車両においては、図８に示すように荷室内の前部に冷気の吹き出し口（エバポレータ）１３を一つ設けている。
【０００３】
図７に示したように前後端の荷箱枠部材の中など、荷箱内側にウイング解放機構が配置された構造が、実開昭55-51612号公報、実開昭57-195973号公報、実開昭58-6674号公報、実開昭58-61624号公報、実開昭58-188217号公報、実開昭59-126719号公報、実開昭61-171623号公報にそれぞれ開示されている。
【０００４】
【発明が解決しようとする課題】
しかしながら、前記従来のウイング車においては、油圧シリンダ等で開閉を行ってるため、取付けが煩雑でコストが高くなっている。また、前記従来のウイング型冷凍・保冷車両においては、さらにエバポレータを荷室内に配置しているために、さらに荷物積載スペースが減少している。加えて、エバポレータなどが荷物積載時に障害物となるために、油圧シリンダなどと積載する荷物とが干渉するおそれがあり、荷物積載作業能率が低下することとなる。
【０００５】
上記事情に鑑み、本発明は荷物積載スペースが広く確保され、荷物との干渉が防止されるウイング型車両を提供することを課題とする。
【０００６】
【課題を解決するための手段】
本発明者らは、ウイングの開閉補助機構を荷室外部（荷箱外部）に取り付けること、または冷凍・保冷車においては、冷気の吹き出し口であり荷室内において大きな容積を占有していたエバポレータを荷室外部に収容することにより、上記課題を解決できることを見出し本発明を完成するに至ったものである。
【０００７】
上記課題を達成するために、本発明は、荷箱に枢支され、枢動して荷室を開閉するウイングの開閉補助機構であって、前記開閉補助機構は前記ウイング及び前記荷箱の屋根部の外側に取り付けられ、一側がウイングの外側に連結された第１のアームと、一側が前記第１のアームの他側に連結され、他側が前記荷箱の外側に枢支された第２のアームと、一側が前記第２のアームの中間部に連結され、他側が前記荷箱の外側に枢支され、前記ウイングの回動に応じて弾性変形する弾性手段と、を備えたことを特徴とするウイングの開閉補助機構を提供する。
【０００８】
本発明は、前記ウイングの開閉補助機構と、荷箱に冷気を吹き出すためのエバポレータと、を備えたウイング型冷凍・保冷車両であって、前記荷箱の屋根部に、前記荷室の天井面より上部に配置され、内部に所定の空間を有する梁を設け、前記荷室の天井面より上方の、前記梁が囲む所定の空間に前記エバポレータを配置し、前記荷箱の屋根部において、前記梁が該屋根部から突出して形成された段差の側部に、前記ウイングの開閉補助機構が配置されたことを特徴とするウイング型冷凍・保冷車両を提供する。
【００１２】
【発明の実施の形態】
以下図面を参照して本発明の一実施形態を説明する。
【００１３】
［実施形態１］
図１は、本発明の一実施形態に係るウイングの開閉補助機構の要部を示す断面図である。図１を参照して、ウイング１は蝶番１ｄによって荷箱の屋根部５に枢動可能に取り付けられ、操作されて矢印方向に枢動して荷箱を開放する。ウイング１の解放補助機構はウイング１及び荷箱の屋根部５の外側に取り付けられ、ウイング１に枢支された第１のアーム２、屋根部５に枢支された第２のアーム３、及び屋根部５に枢支されたコイルバネ（弾性手段）４を備えている。第１のアーム２の一端はピン６によってウイング１に固定された軸受１ｃに連結され、他端は第２のアーム３の一端にピン７によって連結されている。第２のアーム３の他端はピン９によって屋根部５に固定された軸受５ａに枢着されている。コイルバネ４の一端はピン８によって第２のアーム３の中間部（枢着点より）に連結され、他端は屋根部５に固定された軸受５ｂ（軸受５ａより車体中心側）に枢支されている。第１のアーム２の枢支点、第２のアーム３の枢支点及び第１、第２のアーム２，３の連結点は、三角形の各頂点にあり、初期位置において第１、第２のアーム２，３の連結点の下方にウイング１の枢支点が位置する。
【００１４】
次に図１に示したウイングの開閉補助機構の動作を説明する。ウイング１の閉止状態（実線で示す）において、ウイング１は自重によって安定的にこの閉止状態を保持する。ウイング１が図中矢印で示す方向に枢動された場合、第１、第２のアーム２，３は折り畳まれるように枢動して、さらにコイルバネ４は第２のアーム３を図中右回転する方向に引張っているため、コイルバネ４の引張力がウイング１を開放方向に枢動させる補助力として作用する。このため、比較的小さな操作力でウイング１を開放することが可能とされる。
【００１５】
実施形態１によれば、ウイング開閉補助機構が荷箱外部に取り付けられていることにより、荷室容積が拡大され且つ荷物と干渉することがない。また、アーム、コイルバネなどから構成されるため、ウイング開閉補助機構として、荷箱内側に油圧シリンダーを配置したものに比べ、荷室容積が拡大されていると共に安価である。なお、図１に示したような引張バネに代えて圧縮バネを用いるようにウイング開閉補助機構を構成することができる。
【００１６】
［実施形態２（実施形態３におけるエバポレータの特定配置構造を示す参考例）］本発明の他の実施形態は、ウイングを備え、冷凍・保冷機能を有する車両において、冷気を吹出すエバポレータの特定配置構造に関する。図２は、本発明の他の実施形態に係るエバポレータ配置構造を説明するための荷箱の斜視図である。図３は、図２の要部断面図である。
【００１７】
図２及び図３を参照して、車両に搭載され、ウイング１の枢動によって内部が開放される荷箱の屋根部には、車両前後方向にセンタービーム（荷箱上部梁）１１が前端（荷箱枠部材）から後端（荷箱枠部材）までわたされている。センタービーム１１はチャンネル状（コの字型）の梁であって、荷室天井面より荷室側に突出しないように荷箱屋根部に固定されている。従って、荷室天井面より上部において、センタービーム１１のチャンネル部（溝部）が所定の空間を画成している。この荷室天井部より上方に画成された空間に、エバポレータ１３が配置されている。このため、エバポレータ１３によって荷室天井部に凹凸が形成されず、且つ荷室容積が削減されず、エバポレータ１３が荷物と干渉することもない。また、エバポレータ１３は荷箱外部に配置されたコンプレッサに配管を通して接続しているが、エバポレータ１３をセンタービーム１１内に配置することにより、前記配管も荷室外部に設けることができ、従来の荷室内にエバポレータが配置されていた構造に比べて、格段に荷室の積載スペースが拡大される。なお、センタービーム１１の内壁に沿って、所定厚さの断熱層１２が設けられている。
【００１８】
さらに、図２に示すように、荷室を前後に区画する内壁１６を設けて、複数の荷室を形成することにより、一方の荷室においてのみ荷物の積載又は降ろしを行う場合、他方の荷室のウイング１を開放する必要がなく、この他方の荷室の温度変化が防止される。また、エバポレータ１３を荷室の数に応じて複数配置しても、エバポレータ１３がセンタービーム１１内に配置されることにより、荷室容積が削減されることがないため、積載量が確保されると共に複数の荷室に対してそれぞれ多様な温度設定が可能とされた多機能ウイング型冷凍・保冷車が提供される。
【００１９】
［実施形態３］
実施形態３は、実施形態１及び実施形態２を組み合わせ、さらにブラケット内にウイング開閉補助機構の一部を配置したものである。以下、実施形態１及び実施形態２と同様の構成は既述の通りであるので、これらと異なる点について詳説する。図４は、本発明の実施形態３に係るウイング車の要部断面図、図５は、斜視図である。図５に示すように、内部にエバポレータ１３を収容し、且つ断熱層１２が取り付けられたセンタービーム１１の側面（段差面）に当接して荷箱の屋根部５上面にカバー１５が固定され、カバー１５の車両前後方向間にブラケット（プロテクター）１４がセンタービーム１１の側面に当接して荷箱の屋根部５上面に取り付けられている。このブラケット１４には、車両側部に向かって開口する開口部１４ａが形成されている。
【００２０】
さらに、図４に示すように、ブラケット１４内にコイルバネ４、軸受５ａ，５ｂなどが収容されている。またブラケット１４に開口部１４ａが形成され、開口部１４ａによって第２アーム３の枢動が許容されている。このウイング開閉補助機構の動作は、実施形態１について説明した通りである。
【００２１】
本実施形態によれば、ウイング開閉補助機構を保護するブラケット１４を、荷箱屋根部において上方に突出するセンタービーム１１がなす段差部分に配置することにより、センタービーム１１の特定構造により生じたスペースが有効利用され、さらに、ブラケット１４の車両前後方向の側部にカバー１５を配置することにより、荷箱上部の段差を完全になくすことができ、車両走行中における街路樹の引っかかりなどが防止される。
【００２２】
［実施形態４］
実施形態４は、実施形態１〜３が種々のウイング型車両に適用されることを示すものである。図６（Ａ）〜（Ｄ）は本発明の実施形態が適用されるウイング車を説明するための図であって、（Ａ）は通常のウイング型車両、（Ｂ）は荷室が内壁によって区画され（図２参照）複数の荷室を備えたウイング型車両、（Ｃ）はあおりを備え、あおりによって荷室下部が、ウイングによって荷室上部がそれぞれ開放されるウイング型車両、（Ｄ）は複数の荷室とあおりを備えたウイング型車両、をそれぞれ説明するための図である。
【００２３】
これらのウイング型車両にそれぞれ、実施形態１で詳説したウイング開閉補助機構を適用することができ、ウイングが複数ある場合、あるいはウイングの大きさに応じて所定数のウイング開閉補助機構が配される。また、前述したように複数の荷室がある場合、それぞれにエバポレータを配置することが好ましい。さらに、実施形態２のようにセンタービームを設け、センタービーム内にエバポレータを配置し荷室容積を拡大することが好ましく（図２参照）、実施形態３のようにウイング開閉補助機構を収容し保護するブラケット、及びカバーを設けることがより好ましい（図４及び図５参照）。
【００２４】
なお、本発明は以上説明した実施形態に限定されるものではなく、明細書及び図面に開示した本発明の原理に基づき、種々の改変を施すこと、例えば本発明の原理を車両以外の固定物、例えば倉庫の開閉装置に適用することができる。
【００２５】
【発明の効果】
以上説明したように、本発明によれば、ウイング開閉補助機構及び／又は冷凍・保冷車においてはエバポレータを荷室外部に設けることにより、荷室の荷物積載スペースが拡大され、荷物との干渉が起こらない。特に本発明によれば、安価で簡素な構造のウイング開閉補助機構が提供される。また、特に本発明によれば、エバポレータを荷室外において収容する梁を設けることにより、安価で簡素な構造によって荷室の荷物積載スペースが拡大され荷物との干渉が起こらない。また本発明によれば、エバポレータを荷室外において収容するために生じた部分に、ウイング開閉補助機構を収容し保護するブラケット、さらにはカバーを配置することによって、空間が有効利用され、車両走行中、荷箱の屋根部が街路樹などに引っかかるおそれが低減される。また本発明によれば、エバポレータを複数配置しても荷室積載スペースが減少しないため、複数の荷室それぞれにエバポレータを配置して、異なる温度設定がされた冷凍・保冷室を備え、かつ積載量の大きいウイング型冷凍・保冷車両が提供できる。本発明のウイング開閉補助機構及びエバポレータ収容構造は種々のウイング型車両、例えば複数の荷室、又はあおりを備えたものに適用され、上述の効果を奏する。
【図面の簡単な説明】
【図１】本発明の一実施形態に係るウイングの開閉補助機構の要部を示す断面図である。
【図２】本発明の他の実施形態に係るエバポレータ配置構造を説明するための荷箱の斜視図である。
【図３】図２の要部断面図である。
【図４】本発明の別の実施形態に係るウイング車の要部断面図である。
【図５】図４に示したウイング車の要部斜視図である。
【図６】（Ａ）〜（Ｄ）は本発明の実施形態が適用されるウイング車を説明するための図であって、（Ａ）は通常のウイング型車両、（Ｂ）は複数の荷室を備えたウイング型車両、（Ｃ）はあおりを備えたウイング型車両、（Ｄ）は複数の荷室とあおりを備えたウイング型車両、をそれぞれ説明するための図である。
【図７】従来の、ウイング解放機構として荷箱内側（荷箱枠部材の中）に油圧シリンダが取り付けられたウイング車を説明するための図である。
【図８】従来の、荷室内にエバポレータが配置されたウイング型冷凍・保冷車を説明するための図である。
【符号の説明】
１  ウイング
２  第１のアーム
３  第２のアーム
４  弾性手段（コイルバネ）
５  屋根部
１１  センタービーム（上部梁）
１３  エバポレータ
１４  ブラケット
１５  カバー
【図１】
0003897845.tif 000002
【図２】
0003897845.tif 000003
【図３】
0003897845.tif 000004
【図４】
0003897845.tif 000005
【図５】
0003897845.tif 000006
【図６】
0003897845.tif 000007
【図７】
0003897845.tif 000008
【図８】
0003897845.tif 000009